(57)【要約】【課題】ＳＣＡＲＴコネクタに接続されるケーブルから漏洩する電磁波の強度を低いレベルに抑制する。【解決手段】プリント配線基板１に形成されたグランドパターン２上の範囲であってＳＣＡＲＴコネクタの接地レベルとなるピン（Ｐ２１等）の接続点の近傍におけるＳＣＡＲＴコネクタの長手方向（矢印Ｍ方向）に沿った範囲である半田付範囲２１に、長方形状の板材からなるシャーシ接地用導体４が、その長手方向が半田付範囲２１の長手方向に沿う位置関係でもって半田付範囲２１に半田付けされ、プリント配線基板１がシャーシに取り付けられたときには、シャーシ接地用導体４の長手方向に沿った端部４２がシャーシに接触するようになっている。【選択図】  図１
2005101020.tif 000002
【特許請求の範囲】
【請求項１】
ＳＣＡＲＴコネクタが設けられたプリント配線基板がシャーシに取り付けられ、ＳＣＡＲＴコネクタから映像信号を送出する映像信号装置において、
プリント配線基板に形成されたグランドパターン上の範囲であってＳＣＡＲＴコネクタの接地レベルとなるピンの接続点の近傍におけるＳＣＡＲＴコネクタの長手方向に沿った範囲である半田付範囲に、細長形状の板材からなるシャーシ接地用導体が、その長手方向が前記半田付範囲の長手方向に沿う位置関係でもって前記半田付範囲に半田付けされ、
プリント配線基板がシャーシに取り付けられたときには、シャーシ接地用導体の長手方向に沿った端部または長手方向に沿った端部の近傍がシャーシに接触し、
シャーシ接地用導体の長手方向の長さを半田付範囲の長手方向の長さに近似した長さにするとともに半田付範囲の長手方向の長さを、ＳＣＡＲＴコネクタの１番ピンから２１番ピンまでの距離に近似した長さとしたことを特徴とする映像信号装置。
【請求項２】
ＳＣＡＲＴコネクタが設けられたプリント配線基板がシャーシに取り付けられ、ＳＣＡＲＴコネクタから映像信号を送出する映像信号装置において、
プリント配線基板に形成されたグランドパターン上の範囲であってＳＣＡＲＴコネクタの接地レベルとなるピンの接続点の近傍におけるＳＣＡＲＴコネクタの長手方向に沿った範囲である半田付範囲に、細長形状の板材からなるシャーシ接地用導体が、その長手方向が前記半田付範囲の長手方向に沿う位置関係でもって前記半田付範囲に半田付けされ、
プリント配線基板がシャーシに取り付けられたときには、シャーシ接地用導体の長手方向に沿った端部または長手方向に沿った端部の近傍がシャーシに接触することを特徴とする映像信号装置。
【請求項３】
ＳＣＡＲＴコネクタが設けられたプリント配線基板がシャーシに取り付けられ、ＳＣＡＲＴコネクタから映像信号を送出する映像信号装置において、
プリント配線基板に形成されたグランドパターン上の範囲であってＳＣＡＲＴコネクタの接地レベルとなるピンの接続点の近傍におけるＳＣＡＲＴコネクタの長手方向に沿った範囲に非絶縁面であるパターン側接触面が形成され、
シャーシの側には、プリント配線基板がシャーシに取り付けられたときにはパターン側接触面と対向するシャーシ側接触面が形成され、
プリント配線基板は、パターン側接触面とシャーシ側接触面との間に導電性のガスケットを挟み且つ圧する状態でもってシャーシに取り付けられることを特徴とする映像信号装置。
【請求項４】
ガスケットの平面視形状をパターン側接触面の形状に近似した形状にするとともにパターン側接触面の長手方向の長さを、ＳＣＡＲＴコネクタの１番ピンから２１番ピンまでの距離に近似した長さとしたことを特徴とする請求項３に記載の映像信号装置。
【発明の詳細な説明】
【技術分野】
【０００１】
本発明は、ＳＣＡＲＴコネクタが設けられたプリント配線基板がシャーシに取り付けられ、ＳＣＡＲＴコネクタから映像信号を送出する映像信号装置に関するものである。
【背景技術】
【０００２】
主にヨーロッパにおいて使用されているＳＣＡＲＴコネクタ（スカートコネクタ、あるいは、スカートジャック、または、スカート端子とも呼ばれる）は、映像信号の伝送を主目的とする２１ピンのコネクタとなっており、図８は、そのピン割り当てを示している。また、図７は、プリント配線基板のパターン面のＳＣＡＲＴコネクタの取り付け位置近傍のパターン形状を示している（Ｐ１は１番ピン、Ｐ２１は２１番ピンを示している）。すなわち、ＳＣＡＲＴコネクタのグランドとなるピンは、幅広く形成されたグランドパターン２を介して、電気的に接地レベルに接続されるようになっている（第１の従来技術とする）。
【０００３】
また、ＳＣＡＲＴコネクタに関した従来技術として、本願出願人により、以下に示す技術が提案されている（第２の従来技術とする）。すなわち、この技術においては、基板上に取り付けられたＳＣＡＲＴコネクタ（スカートジャック）の本体の左右両側に、嵌合取付用突出部を下向きに設けている。そして、この嵌合取付用突出部を、上下に２分割されたカバーのうちの下カバーに形成された嵌合取付用孔部に挿入して、下向カバーにＳＣＡＲＴコネクタを取り付けている。次いで、上カバーの左右両端の嵌合片を下カバーの左右両端の嵌合凹溝に嵌め込んだ後、機器側筐体の側壁部の左右の孔部からビスをそれぞれ挿入にして、上カバーと下カバーとのビス止め孔に螺入することにより、カバーを機器側筐体に取り付け固定している。このため、従来技術のような多数本のビスを用いることなく、２本のビスを用いるのみで、ＳＣＡＲＴコネクタを機器側筐体に取り付け固定することができるようになっている（例えば、特許文献１参照）。
【０００４】
【特許文献１】特開２００１−３２６０３６号
【発明の開示】
【発明が解決しようとする課題】
【０００５】
しかしながら、第１の従来技術を用いた場合には以下に示す問題を生じていた。すなわち、図６に模式的に示したように、ＳＣＡＲＴコネクタに接続されるケーブル８０は、例えば、色信号用の信号線８１１とシールド外皮８１１Ｓ、色信号用の信号線８１２とシールド外皮８１２Ｓを備えている（その他の信号線やシールド外皮は図示が省略されている）。そして、さらに、信号線８１１，８１２とシールド外皮８１１Ｓ，８１２Ｓとの全てを覆うシールド外皮８０１Ｓを備えている。一方、シールド外皮８１１Ｓ，８１２Ｓ、８０１Ｓのそれぞれは、ＳＣＡＲＴコネクタを介し、筐体８内において、筐体８を形成するシャーシとの接続点であるシャーシグランドＧに接続されている。
【０００６】
一方、シールド外皮８１１Ｓ，８１２Ｓ、８０１Ｓによって、信号線８１１，８１２から漏洩する電磁波を遮蔽させるには、シールド外皮８１１Ｓ，８１２Ｓ、８０１Ｓを、筐体８を形成するシャーシと等価なレベルに維持する必要がある。いま、図７に示すグランドパターン２には接触用パターン２９０が形成されており、グランドパターン２が、接触用パターン２９０を介してシャーシに接続されるようになっているとする。このとき、接触用パターン２９０を介して接続されたシャーシを、図６におけるシャーシグランドＧでもって示すとする。また、信号線８１１は赤色信号線を示し、信号線８１２は青色信号線を示しているとする。
【０００７】
従って、シールド外皮８１１Ｓは、ＳＣＡＲＴコネクタの１３番ピンＰ１３とグランドパターン２とを介して、シャーシグランドＧに接続されることになる。また、シールド外皮８１２Ｓは、ＳＣＡＲＴコネクタの５番ピンＰ５とグランドパターン２とを介して、シャーシグランドＧに接続されることになる。また、シールド外皮８０１Ｓは、ＳＣＡＲＴコネクタの２１番ピンＰ２１とグランドパターン２とを介して、シャーシグランドＧに接続されることになる。
【０００８】
一方、ＳＣＡＲＴコネクタの１３番ピンＰ１３とシャーシグランドＧとの間に介在するグランドパターン２や、接触用パターン２９０とシャーシとの間の接触面積の制限によって、色信号の周波数帯域から見る場合には、無視できない値のインピーダンスＲ８１１が生じる。また、同様に、ＳＣＡＲＴコネクタの５番ピンＰ５とシャーシグランドＧとの間にも、無視できない値のインピーダンスＲ８１２が生じる。また、ＳＣＡＲＴコネクタの２１番ピンＰ２１とシャーシグランドＧとの間にも、同様に、無視できない値のインピーダンスＲ８０１が生じる。
【０００９】
このため、シールド外皮８１１Ｓ，８１２Ｓ、８０１Ｓの電位は、シャーシグランドＧと同じレベルには維持されず、インピーダンスＲ８１１，Ｒ８１２，Ｒ８０１の影響分だけ、シャーシグランドＧから浮き上がることになる。その結果、信号線８１１，８１２を流れる色信号に対してのシールド外皮８１１Ｓ，８１２Ｓ、８０１Ｓの遮蔽効果が減少するので、ケーブル８０から漏洩する電磁波の強度（ＣＥＥクランプ法による測定値）が強くなっていた。
【００１０】
なお、上記した問題を解決しようとして、接触用パターン２９０を、ＳＣＡＲＴコネクタに近い位置（２９０ａにより示す）に移動させたときにも、ＳＣＡＲＴコネクタから接触用パターン２９０ａまでのパターンにおいて発生するインピーダンスが余り低減されないことや、接触用パターン２９０ａを介したシャーシとの接続は点接続に近似した接続となるため、インピーダンスＲ８１１，Ｒ８１２，Ｒ８０１を効率良く減少させることができず、大きな改善効果を得ることは困難となっている。また、２１番ピンＰ２１と接触用パターン２９０の近傍位置との間に、別途に、グランド用の電線を設けた場合にも、電線のインピーダンスが発生するとともに接触用パターン２９０を介したシャーシとの接続は点接続に近似した接続となるため、インピーダンスＲ８０１を効率良く減少させることができず、大きな改善効果を得ることは困難となっている。
【００１１】
第２の従来技術は、ＳＣＡＲＴコネクタの取り付けを簡単化するための技術となっている。このため、第１の従来技術における問題を解決しようとする場合では、適用することが困難となっている。
【００１２】
本発明は上記課題を解決するために創案されたものであり、その目的は、ＳＣＡＲＴコネクタのグランド用のピンとシャーシとの間に介在する接続インピーダンスを極めて微小とすることにより、ＳＣＡＲＴコネクタに接続されるケーブルから漏洩する電磁波の強度を極めて微小なレベルに抑制することのできる映像信号装置を提供することにある。
【００１３】
また本発明の目的は、ＳＣＡＲＴコネクタのグランド用のピンとシャーシとの間に介在する接続インピーダンスを微小とすることにより、ＳＣＡＲＴコネクタに接続されるケーブルから漏洩する電磁波の強度を低いレベルに抑制することのできる映像信号装置を提供することにある。
【００１４】
また、上記目的に加え、ＳＣＡＲＴコネクタのグランド用のピンとシャーシとの間に介在する接続インピーダンスをより小さいものとすることにより、ＳＣＡＲＴコネクタに接続されるケーブルから漏洩する電磁波の強度を、より低いレベルに抑制することのできる映像信号装置を提供することにある。
【課題を解決するための手段】
【００１５】
上記の課題を解決するため、本発明に係る映像信号装置は、ＳＣＡＲＴコネクタが設けられたプリント配線基板がシャーシに取り付けられ、ＳＣＡＲＴコネクタから映像信号を送出する映像信号装置に適用している。そして、プリント配線基板に形成されたグランドパターン上の範囲であってＳＣＡＲＴコネクタの接地レベルとなるピンの接続点の近傍におけるＳＣＡＲＴコネクタの長手方向に沿った範囲である半田付範囲に、細長形状の板材からなるシャーシ接地用導体が、その長手方向が前記半田付範囲の長手方向に沿う位置関係でもって前記半田付範囲に半田付けされている。また、プリント配線基板がシャーシに取り付けられたときには、シャーシ接地用導体の長手方向に沿った端部または長手方向に沿った端部の近傍がシャーシに接触するようにしている。且つ、シャーシ接地用導体の長手方向の長さを半田付範囲の長手方向の長さに近似した長さにするとともに半田付範囲の長手方向の長さを、ＳＣＡＲＴコネクタの１番ピンから２１番ピンまでの距離に近似した長さとしている。
【００１６】
すなわち、シャーシ接地用導体は、ピンの接続点の近傍となる範囲の半田付範囲において、かなり広い面積でもってグランドパターンに半田付けされる。このため、コネクタのグランドパターンに接続されたピンの側からシャーシ接地用導体を見る場合、シャーシ接地用導体は、映像信号の周波数帯域において、極めて微小なインピーダンスでもって、ピンに接続される。また、シャーシ接地用導体は、極めて微小なインピーダンスでもって、シャーシに電気的に接続される。その結果、ピンは、映像信号の周波数帯域において、シャーシに対し、極めて微小なインピーダンスで接続されることになる。
【００１７】
また本発明に係る映像信号装置は、ＳＣＡＲＴコネクタが設けられたプリント配線基板がシャーシに取り付けられ、ＳＣＡＲＴコネクタから映像信号を送出する映像信号装置に適用している。そして、プリント配線基板に形成されたグランドパターン上の範囲であってＳＣＡＲＴコネクタの接地レベルとなるピンの接続点の近傍におけるＳＣＡＲＴコネクタの長手方向に沿った範囲である半田付範囲に、細長形状の板材からなるシャーシ接地用導体が、その長手方向が前記半田付範囲の長手方向に沿う位置関係でもって前記半田付範囲に半田付けされ、プリント配線基板がシャーシに取り付けられたときには、シャーシ接地用導体の長手方向に沿った端部または長手方向に沿った端部の近傍がシャーシに接触するようにしている。
【００１８】
すなわち、シャーシ接地用導体は、ピンの接続点の近傍となる範囲の半田付範囲において、広い面積でもってグランドパターンに半田付けされる。このため、コネクタのグランドパターンに接続されたピンの側からシャーシ接地用導体を見る場合、シャーシ接地用導体は、映像信号の周波数帯域において、微小インピーダンスでもって、ピンに接続される。また、シャーシ接地用導体は、微小インピーダンスでもって、シャーシに電気的に接続される。その結果、ピンは、映像信号の周波数帯域において、シャーシに対し、微小インピーダンスで接続されることになる。
【００１９】
また本発明に係る映像信号装置は、ＳＣＡＲＴコネクタが設けられたプリント配線基板がシャーシに取り付けられ、ＳＣＡＲＴコネクタから映像信号を送出する映像信号装置に適用している。そして、プリント配線基板に形成されたグランドパターン上の範囲であってＳＣＡＲＴコネクタの接地レベルとなるピンの接続点の近傍におけるＳＣＡＲＴコネクタの長手方向に沿った範囲に非絶縁面であるパターン側接触面が形成され、シャーシの側には、プリント配線基板がシャーシに取り付けられたときにはパターン側接触面と対向するシャーシ側接触面が形成されている。且つ、プリント配線基板は、パターン側接触面とシャーシ側接触面との間に導電性のガスケットを挟み且つ圧する状態でもってシャーシに取り付けられるようになっている。
【００２０】
すなわち、ガスケットは、ピンの接続点の近傍となる範囲のパターン側接触面において、広い面積でもってグランドパターンに電気的に接続される。このため、コネクタのグランドパターンに接続されたピンの側からガスケットを見る場合、ガスケットは、映像信号の周波数帯域において、微小インピーダンスでもって、ピンに接続される。また、ガスケットは、広い面積でもってシャーシに接触するので、ガスケットは、微小インピーダンスでもって、シャーシに電気的に接続される。その結果、ピンは、映像信号の周波数帯域において、シャーシに対し、微小インピーダンスで接続されることになる。
【００２１】
また上記構成に加え、ガスケットの平面視形状をパターン側接触面の形状に近似した形状にするとともにパターン側接触面の長手方向の長さを、ＳＣＡＲＴコネクタの１番ピンから２１番ピンまでの距離に近似した長さとしている。すなわち、ガスケットがグランドパターンに接触する面積、および、ガスケットがシャーシに接触する面積は広いので、コネクタのグランドパターンに接続されたピンの側からシャーシを見る場合、ピンは、映像信号の周波数帯域において、極めて微小なインピーダンスでもってシャーシに接続されることになる。
【発明の効果】
【００２２】
本発明によれば、半田付範囲の長手方向に沿った長さは、ＳＣＡＲＴコネクタの１番ピンから２１番ピンまでの距離に近似した長さとなっているので、シャーシ接地用導体は、ピンの接続点の近傍となる範囲の半田付範囲において、かなり広い面積でもってグランドパターンに半田付けされる。このため、コネクタのグランドパターンに接続されたピンの側からシャーシ接地用導体を見る場合、シャーシ接地用導体は、映像信号の周波数帯域において、極めて微小なインピーダンスでもって、ピンに接続される。また、シャーシ接地用導体は、極めて微小なインピーダンスでもって、シャーシに電気的に接続されることになる。その結果、ピンは、映像信号の周波数帯域において、シャーシに対し、極めて微小なインピーダンスで接続されることになるので、ＳＣＡＲＴコネクタに接続されるケーブルから漏洩する電磁波の強度を極めて低いレベルに抑制することができる。
【００２３】
また本発明によれば、シャーシ接地用導体は、ピンの接続点の近傍となる範囲の半田付範囲において、広い面積でもってグランドパターンに半田付けされる。このため、コネクタのグランドパターンに接続されたピンの側からシャーシ接地用導体を見る場合、シャーシ接地用導体は、映像信号の周波数帯域において、微小インピーダンスでもってピンに接続される。また、シャーシ接地用導体は、微小インピーダンスでもって、シャーシに電気的に接続される。その結果、ピンは、映像信号の周波数帯域において、シャーシに対し、微小インピーダンスで接続されることになるので、ＳＣＡＲＴコネクタに接続されるケーブルから漏洩する電磁波の強度を低いレベルに抑制することができる。
【００２４】
また本発明によれば、ガスケットは、ピンの接続点の近傍となる範囲のパターン側接触面において、広い面積でもってグランドパターンに電気的に接続される。このため、コネクタのグランドパターンに接続されたピンの側からガスケットを見る場合、ガスケットは、映像信号の周波数帯域において、微小インピーダンスでもって、ピンに接続される。また、ガスケットは、広い面積でもってシャーシに接触するので、ガスケットは、微小インピーダンスでもって、シャーシに電気的に接続される。その結果、ピンは、映像信号の周波数帯域において、シャーシに対し、微小インピーダンスで接続されることになるので、ＳＣＡＲＴコネクタに接続されるケーブルから漏洩する電磁波の強度を低いレベルに抑制することができる。
【００２５】
またさらに、ガスケットの平面視形状をパターン側接触面の形状に近似した形状にするとともにパターン側接触面の長手方向の長さを、ＳＣＡＲＴコネクタの１番ピンから２１番ピンまでの距離に近似した長さとしている。従って、ピンは、映像信号の周波数帯域において、極めて微小なインピーダンスでもってシャーシに接続されるので、ＳＣＡＲＴコネクタに接続されるケーブルから漏洩する電磁波の強度を、より低いレベルに抑制することができる。
【発明を実施するための最良の形態】
【００２６】
以下、本発明の実施の形態について図を参照して説明する。
【実施例１】
【００２７】
図１は、本発明に係る映像信号装置の第１の実施形態であるＤＶＤ再生装置のプリント配線基板のＳＣＡＲＴコネクタの取り付け位置近傍のパターン形状とシャーシ接地用導体とを示す部分斜視図、図２は、第１の実施形態におけるコネクタの近傍をコネクタの背面側から見た形状と、接地用導体の近傍範囲の側面形状を示す説明図である。なお、図１におけるグランドパターンについては、図７に示すグランドパターンとの間に僅かに差異を有するが、図７における符号と同一符号を付与している。
【００２８】
図において、ＤＶＤ再生装置の電気的回路の主要部が搭載されたプリント配線基板１の半田面１１には、電気的な接地レベルとなるグランドパターン２が形成されている（半田付範囲２１が非レジスト面となっている点が、図７に示すグランドパターン２と異なる）。そして、ＳＣＡＲＴコネクタ（以下では、単にコネクタと称する）３の２番ピン、４番ピン、５番ピン、９番ピン、１３番ピン、１４番ピン、１７番ピン、１８番ピン、２１番ピンの９つのピンがグランドパターン２に電気的に接続されるようになっている。なお、グランドパターン２に接続されないピンのために形成されたパターンについては、図示が省略されている。
【００２９】
また、グランドパターン２にはシャーシ接地用導体（以下では、接地用導体と称する）４を半田付けするための半田付範囲２１が設けられている。詳細には、半田付範囲２１は、グランドパターン２の形成範囲であって、プリント配線基板１の縁１２の近傍となる位置に設けられた非レジスト面となっている。より詳細には、半田付範囲２１は、コネクタ３の接地レベルとなるピンの接続点の近傍となる範囲に設けられており、その形状は、コネクタ３の長手方向（矢印Ｍにより示す方向）に沿って長い長方形状となっている。なお、半田付範囲２１の長手方向に沿った長さは、１番ピンから２１番ピンまでの距離に近似した長さ（約４０ｍｍ）となっている。
【００３０】
接地用導体４は、例えば、０．２ｍｍ、あるいは、０．３ｍｍ等の、弾性を有する長方形状の板状の導体（例えば、ＳＴＰＥ等）からなり、平面視形状は長方形、側面視形状は略く字状となっている（折曲角度Ｋは約４５度）。また、長手方向に沿った長さは、半田付範囲２１の長手方向に沿った長さと略同一となっている。なお、接地用導体４は、長手方向に沿った端部のうちの一方の端部４２が、プリント配線基板１の縁１２から矢印Ｎ方向に１ｍｍ程度飛び出すとともに、その長手方向が半田付範囲２１の長手方向に沿うように、半田付範囲２１に半田付けされる。
【００３１】
コネクタ３および接地用導体４が半田付けされたプリント配線基板１は、プリント配線基板１が内部に取り付けられる筐体となるシャーシ５の背面パネル５１に形成された略長方形状の開口部５１２に、コネクタ本体３１の前面部３１１が挿入された状態で、シャーシ５に固定される。そして、コネクタ本体３１の上部に形成された一対の固定用部材３２に形成された螺子孔３２１に、外部側から、背面パネル５１の孔を挿通して螺入された螺子３５により、コネクタ本体３１は背面パネル５１に固定される。
【００３２】
プリント配線基板１およびコネクタ３が上記した方法でシャーシ５に固定されたときには、プリント配線基板１の縁１２は、背面パネル５１の裏面５１１に当接する位置、あるいは、裏面５１１との間に微小間隔を有する位置に位置することになる。一方、接地用導体４は、端部４２が縁１２から１ｍｍ程度飛び出している。このため、シャーシ５が取り付け固定されたときでは、接地用導体４の端部４２は、長手方向に沿った全ての部分が裏面５１１に押圧される。つまり、接地用導体４は、極めて微小な接触インピーダンスでもって、シャーシ５に電気的に接続されることになる。
【００３３】
一方、接地用導体４は、ピンの接続点の近傍となる位置（半田付範囲２１）において、広い面積でもってグランドパターン２に半田付けされている。このため、コネクタ３のグランドパターン２に接続されたピンの側から接地用導体４を見る場合、接地用導体４は、映像信号の周波数帯域において、極めて微小なインピーダンスでもって、ピンに接続されている。その結果、ピンは、映像信号の周波数帯域において、シャーシ５に対し、極めて微小なインピーダンスで接続されることになる。
【００３４】
以上のことから、図６に示したインピーダンスＲ８１１，Ｒ８１２，Ｒ８０１は、極めて低い値に抑制される。このため、シールド外皮８１１Ｓ，８１２Ｓ、８０１Ｓによる遮蔽効果の低減が防止されることになって、ケーブル８０から漏洩する電磁波の強度は、低いレベルに抑制されることになる。
【実施例２】
【００３５】
次に、本発明の第２の実施形態について説明する。
図３は、第２の実施形態の接地用導体の近傍範囲の側面形状を示す側面図であり、第１の実施形態と同一となる要素には、図２における符号と同一符号を付与している。
【００３６】
プリント配線基板１には、第１の実施形態と同一の半田付範囲２１が設けれらている。また、接地用導体４ａは、弾性を有する長方形状の板材からなる導体（例えば、ＳＴＰＥ）を、短手方向において、略中央位置を４０度程度の角度に折曲するとともに、短手方向における一方の端部の側を、端部に近い位置において、５０度程度の角度に折曲することでもって形成されている。また、接地用導体４ａは、短手方向において、プリント配線基板１の縁１２から１ｍｍ程度突出するように、半田付範囲２１に半田付けされている。なお、シャーシ接地用導体４ａの長手方向の長さは、半田付範囲２１の長手方向の長さに近似した長さとなっている。
【００３７】
そして、プリント配線基板１およびコネクタ３がシャーシ５に固定されたときには、プリント配線基板１の縁１２は、背面パネル５１の裏面５１１に当接する位置、あるいは、裏面５１１との間に微小間隔を有する位置に位置することになる。このため、プリント配線基板１がシャーシ５に取り付け固定されたときでは、接地用導体４の端部４３ａは、長手方向に沿った全ての部分において、裏面５１１に押圧される。つまり、接地用導体４ａは、極めて微小な接触インピーダンスでもって、シャーシ５に電気的に接続されることになる。
【００３８】
従って、コネクタ３のグランドパターン２に接続されたピンの側から接地用導体４ａを見る場合、接地用導体４ａは、映像信号の周波数帯域において、極めて微小なインピーダンスでもって、ピンに接続される。また、接地用導体４ａは、極めて微小なインピーダンスでもってシャーシ５に接続される。その結果、ピンは、映像信号の周波数帯域において、シャーシ５に対し、極めて微小なインピーダンスで接続されることになる。このため、図６に示したインピーダンスＲ８１１，Ｒ８１２，Ｒ８０１は、極めて低い値に抑制され、シールド外皮８１１Ｓ，８１２Ｓ、８０１Ｓによる遮蔽効果の低減が防止されることになる。
【実施例３】
【００３９】
次に、本発明の第３の実施形態について説明する。
図４は、第３の実施形態の接地用導体の近傍範囲の側面形状を示す側面図であり、第１の実施形態と同一となる要素には、図２における符号と同一符号を付与している。
【００４０】
プリント配線基板１には、第１の実施形態と同一の半田付範囲２１が設けれらている。そして、半田付範囲２１には、弾性を有する長方形状の板材からなる導体（例えば、ＳＴＰＥ）を、短手方向において、略中央位置を挟んだ一方の側を略円弧状に湾曲させることによって形成された接地用導体４ｂが半田付けされている。なお、接地用導体４ｂの長手方向の長さは、半田付範囲２１の長手方向の長さに近似した長さとなっている。
【００４１】
そして、プリント配線基板１およびコネクタ３がシャーシ５ｂに固定されたときには、接地用導体４ｂの湾曲部分の先端近傍部分４４ｂが、シャーシ５ｂの底板５２ｂの裏面５２１ｂに押圧される。つまり、接地用導体４ｂは、極めて小さい接触インピーダンスでもって、シャーシ５に電気的に接続されることになる。
【００４２】
従って、コネクタ３のグランドパターン２に接続されたピンの側から接地用導体４ｂを見る場合、接地用導体４ｂは、映像信号の周波数帯域において、極めて微小なインピーダンスでもって、ピンに接続される。また、接地用導体４ｂは、極めて微小なインピーダンスでもってシャーシ５に接続される。その結果、ピンは、映像信号の周波数帯域において、シャーシ５に対し、極めて微小なインピーダンスで接続されることになる。このため、図６に示したインピーダンスＲ８１１，Ｒ８１２，Ｒ８０１は、極めて低い値に抑制され、シールド外皮８１１Ｓ，８１２Ｓ、８０１Ｓによる遮蔽効果の低減が防止されることになる。
【実施例４】
【００４３】
次に、本発明の第４の実施形態について説明する。
図５は、第４の実施形態におけるコネクタの近傍をコネクタの背面側から見た形状と、ガスケットの取り付け位置の近傍範囲の側面形状を示す説明図であり、第１の実施形態と同一となる要素には、図２における符号と同一符号を付与している。
【００４４】
プリント配線基板１には、第１の実施形態と同一の半田付範囲２１が設けれらている。なお、この半田付範囲２１は、請求項記載のパターン側接触面となっているため、以下では、半田付範囲２１をパターン側接触面２１と称する。また、シャーシ５ｃの底板５３ｃには、その長手方向に沿った長さが、コネクタ３の長手方向に沿った長さより長い長方形状の水平支持部６１を有する支持部材６が形成されている。そして、水平支持部６１の上面６２は、プリント配線基板１がシャーシ５ｃに取り付けられたとき、パターン側接触面２１と対向するシャーシ側接触面６２を形成している。
【００４５】
ガスケット７は、導電性の皮膜材を用いてクッション材を被覆することで形成されており、平面視形状は、パターン側接触面２１と近似した形状となっている。そして、プリント配線基板１は、パターン側接触面２１とシャーシ側接触面６２との間に導電性のガスケット７を介在させた状態で、螺子６５を、プリント配線基板１に形成された孔（図示を省略）を挿通し、水平支持部６１に形成された螺子孔（図示を省略）に螺入することでもって、シャーシ５ｃに固定される。つまり、プリント配線基板１は、パターン側接触面２１とシャーシ側接触面６２との間に、導電性のガスケット７を圧しつつ挟んだ状態でもって取り付けられることになる。
【００４６】
従って、コネクタ３のグランドパターン２に接続されたピンの側からシャーシ５ｃを見る場合、ピンは、極めて微小なインピーダンスでもって、シャーシ５ｃに接続されることになる。このため、図６に示したインピーダンスＲ８１１，Ｒ８１２，Ｒ８０１は、極めて低い値に抑制され、シールド外皮８１１Ｓ，８１２Ｓ、８０１Ｓによる遮蔽効果の低減が防止されることになる。
【００４７】
なお、半田付範囲（パターン側接触面）２１の長手方向に沿った長さは、１番ピンから２１番ピンまでの距離に近似した長さより長くすることが望ましいが、その他の部品配置の都合によって短くせざるを得ない場合であっても、２番ピン、４番ピン、５番ピン、９番ピン、１３番ピン、１４番ピン、１７番ピン、１８番ピン、２１番ピンの９つのピン（特に２１番ピンが重要）をシャーシ５，５ｂ，５ｃに極めて微小なインピーダンスでもって接地するためには、１番ピンから２１番ピンまでの距離の１／２より長くすることが望ましい（接地用導体４，４ａ，４ｂの長手方向に沿った長さについては、半田付範囲２１の長手方向の長さと近似した長さとする）。
【００４８】
なお、本発明は上記実施形態に限定されず、シャーシ接地用導体については、弾性を有する長方形状の板材からなる導体であるＳＴＰＥを折曲加工して形成する場合について説明したが、形状については、細長形状に近似したその他の任意形状（例えば、長方形状で縁をジクザグにした形状、等）とすることができる。また、ＳＴＰＥとは異なる金属板を用いることができる。
【００４９】
また、シャーシ接地用導体の側面形状については、略ヘ字状、略３０度と略６０度とに折曲した形状、および、２分された一方の側を円弧状に湾曲させた形状とした場合について説明したが、シャーシ接地用導体を、広い範囲に渡って良好にシャーシに接触させることが可能な限りでは、その他の任意の形状とすることができる。
【００５０】
また、適用する装置については、ＤＶＤ再生装置とした場合について説明したが、映像信号をＳＣＡＲＴコネクタから出力するその他の任意の装置（例えば、ビデオカセットデッキ、ハードディスクを記録媒体とする映像信号の記録再生装置、等）に適用することができる。
【図面の簡単な説明】
【００５１】
【図１】本発明に係る映像信号装置の第１の実施形態であるＤＶＤ再生装置のプリント配線基板のＳＣＡＲＴコネクタの取り付け位置近傍のパターン形状とシャーシ接地用導体とを示す部分斜視図である。
【図２】第１の実施形態におけるコネクタの近傍をコネクタの背面側から見た形状と、接地用導体の近傍範囲の側面形状を示す説明図である。
【図３】第２の実施形態における接地用導体の近傍範囲の側面形状を示す説明図である。
【図４】第３の実施形態における接地用導体の近傍範囲の側面形状を示す説明図である。
【図５】第４の実施形態におけるコネクタの近傍をコネクタの背面側から見た形状と、接地用導体の近傍範囲の側面形状を示す説明図である。
【図６】ＳＣＡＲＴコネクタに接続されるケーブルからシャーシまでの接続経路を等価的に示す電気回路図である。
【図７】従来技術のグランドパターンの形状を示す説明図である。
【図８】ＳＣＡＲＴコネクタのピンの割り当てを示す説明図である。
【符号の説明】
【００５２】
１  プリント配線基板
２  グランドパターン
３  ＳＣＡＲＴコネクタ
４，４ａ，４ｂ  シャーシ接地用導体
５，５ｂ，５ｃ  シャーシ
７  ガスケット
２１  半田付範囲（パターン側接触面）
６２  シャーシ側接触面
【図１】
2005101020.tif 000003
【図２】
2005101020.tif 000004
【図３】
2005101020.tif 000005
【図４】
2005101020.tif 000006
【図５】
2005101020.tif 000007
【図６】
2005101020.tif 000008
【図７】
2005101020.tif 000009
【図８】
2005101020.tif 000010